(57)【要約】【課題】鍵管理人以外の者が鍵の識別情報を表示部に表示させるための暗号を入力する入力部の存在を容易に認識することができないようにする。【解決手段】鍵１に用いられる情報表示装置５は、１つの押しボタン８と、表示部７と、鍵１の種類を識別する識別情報９を記憶する記憶部１２と、押しボタン８が所定の操作パターンで押されたか否かを判断する操作判断部Ｓ１０３と、表示部７の表示動作を制御する表示制御部Ｓ１０４と、を備える。表示制御部Ｓ１０４は、操作判断部Ｓ１０３が所定の操作パターンで押されたと判断した場合、記憶部１２から識別情報９を読み出し、表示部７に識別情報９を表示し、操作判断部Ｓ１０３が所定の操作パターンで押されなかったと判断した場合、表示部７に識別情報９を表示しない。【選択図】図３
2012233302.tif 000002
【特許請求の範囲】
【請求項１】
特定の場所を開閉するための鍵、または、その鍵に連結された付属物に備えられる情報表示装置であって、
前記鍵、または、前記付属物の表面に設けられる１つの操作部と、
前記鍵、または、前記付属物の表面に設けられる表示部と、
前記鍵を識別する識別情報と、複数の種類の操作からなる所定の操作パターンと、を記憶する記憶部と、
前記操作部が所定判断期間の間に前記所定の操作パターンで操作されたか否かを判断する操作判断部と、
前記表示部の表示動作を制御する表示制御部と、を備え、
前記操作部が前記所定判断期間内に前記所定の操作パターンで操作されたと前記操作判断部が判断した場合、前記表示制御部は、前記記憶部から前記識別情報を読み出し、前記表示部に前記識別情報を表示し、
前記操作部が前記所定判断期間内に所定の操作パターンで操作されなかったと前記操作判断部が判断した場合、前記表示制御部は、前記表示部に前記識別情報を表示しないことを特徴とする鍵に用いられる情報表示装置。
【請求項２】
前記表示部は、発光可能な表示領域を有し、
前記表示制御部は、前記表示部に前記識別情報が表示されている表示期間以外の期間で、前記操作部が操作されている間、前記表示部の表示領域を発光させることを特徴とする請求項１に記載の鍵に用いられる情報表示装置。
【請求項３】
前記所定の操作パターンのうち少なくとも一部の操作は、
前記操作部が第１の期間操作されている長期間操作、または前記操作部が前記第１の期間より短い第２の期間操作されている短期間操作を有する期間操作であり、
前記操作判断部は、
前記操作部が前記期間操作で操作されたか否かを判断する期間操作判断部を有することを特徴とする請求項２に記載の鍵に用いられる情報表示装置。
【請求項４】
前記期間操作は、
前記長期間操作または前記短期間操作を、不操作期間を挟んで複数回行う連続操作であり、
前記期間操作判断部は、
前記操作部が前記連続操作で操作されたか否かを判断する連続操作判断部を含むことを特徴とする請求項３に記載の鍵に用いられる情報表示装置。
【請求項５】
所定の方向の加速度、または所定の軸線回りの角速度を検出する検出部を備え、
前記所定判断期間の間の前記所定の操作パターンのうち、前記期間操作とは異なる他の操作は、前記検出部により検出された前記加速度、または前記角速度を基にした、前記鍵、または、前記付属物の運動操作であり、
前記操作判断部は、
前記鍵、または、前記付属物が前記運動操作で運動されたか否かを判断する運動判断部を有することを特徴とする請求項３または４に記載の鍵に用いられる情報表示装置。
【請求項６】
前記運動操作の少なくとも一部の操作は、前記長期間操作、または前記短期間操作を行いながら運動操作を行う運動期間操作であり、
前記運動判断部は、
前記運動期間操作が操作されたか否かを判断する運動期間操作判断部を含むことを特徴とする請求項５に記載の鍵に用いられる情報表示装置。
【発明の詳細な説明】
【技術分野】
【０００１】
本発明は、部屋または収納庫などの所定の場所を開閉するために使用する鍵、または、その鍵に連結された付属物に備えられた表示部に、鍵を識別する識別情報を表示させる情報表示装置に関する。
【背景技術】
【０００２】
特許文献１に、ＲＦＩＤタグを用いたタグ探索システムが開示されている。具体的には、書棚に陳列された書籍にＲＦＩＤタグが取り付けられている。ユーザが、ハンディリーダライタを使用して、所望の書籍識別情報を入力すると、ハンディリーダライタから、設置リーダライタを介して、書籍に取り付けられたＲＦＩＤに向かって識別ＩＤ指定信号が送信される。この送信された識別ＩＤ指定信号に従って、ユーザが所望する書籍に貼り付けられたＲＦＩＤタグに設けられる有機ＥＬ発光素子にユーザが入力した書籍識別情報が表示される。これにより、ユーザの所望の書籍がどこにあるかをユーザに知らせることができる。また、有機ＥＬ発光素子に書籍識別情報が表示されるため、複数の書籍を区別することができる。
【先行技術文献】
【特許文献】
【０００３】
【特許文献１】特開２００９−３０１３７５号公報
【発明の概要】
【発明が解決しようとする課題】
【０００４】
上記タグ探索システムは、書棚に陳列された書籍の探索のために使用されているが、鍵ボックスに掛けられた鍵の探索のために使用される場合、以下に説明するセキュリティ上の問題がある。
【０００５】
鍵管理人が鍵ボックスから鍵を取り出してから、鍵により開閉される部屋に出かけた後に鍵ボックスに鍵を戻すまでの間に、例えば鍵管理人が鍵を紛失し、鍵管理人以外の者が鍵を拾ったり、鍵管理人以外の者が部屋番号等の鍵識別情報を見たりする場合が考えられる。
【０００６】
その際、鍵またはキーホルダーの表示部に鍵識別情報として部屋番号が表示されていると、鍵を取得した鍵管理人以外の者は、その鍵がどの部屋の鍵であるかが分かる。そして、鍵管理人以外の者は、鍵の合う部屋に辿り着き、部屋の鍵を開錠してしまう。その結果、機密性を保持するといった鍵の役目を果すことが出来ない。
【０００７】
上記問題点を踏まえ、鍵管理人のみが鍵識別情報を知ることができる方法を考える。例えば、鍵にテンキーが備えられ、テンキーによりユーザが入力した番号と暗証番号とが一致したとき、鍵識別情報を表示する装置が考えられる。しかしながら、鍵にテンキーが備えられている場合には、鍵管理人以外の者は、テンキーの存在により特定の数字の組み合わせを入力することで秘密情報が表示されることに気付いてしまう可能性が高い。その結果、鍵管理人以外の者が容易に鍵識別情報を知る危険性があった。
【０００８】
本発明は、上記の問題点に鑑みてなされたものであり、鍵管理人以外の者が鍵の識別情報を表示部に表示させるための暗号を入力する入力部の存在を容易に認識することができない構成を有する鍵に用いられる情報表示装置を提供することを目的とする。
【課題を解決するための手段】
【０００９】
上記目的を達成するために、請求項１に記載の情報表示装置は、特定の場所を開閉するための鍵、または、その鍵に連結された付属物に備えられる情報表示装置であって、前記鍵、または、前記付属物の表面に設けられる１つの操作部と、前記鍵、または、前記付属物の表面に設けられる表示部と、前記鍵を識別する識別情報と、複数の種類の操作からなる所定の操作パターンと、を記憶する記憶部と、前記操作部が所定判断期間の間に前記所定の操作パターンで操作されたか否かを判断する操作判断部と、前記表示部の表示動作を制御する表示制御部と、を備え、前記操作部が前記所定判断期間内に前記所定の操作パターンで操作されたと前記操作判断部が判断した場合、前記表示制御部は、前記記憶部から前記識別情報を読み出し、前記表示部に前記識別情報を表示し、前記操作部が前記所定判断期間内に所定の操作パターンで操作されなかったと前記操作判断部が判断した場合、前記表示制御部は、前記表示部に前記識別情報を表示しないことを特徴とする。
【００１０】
請求項２に記載の情報表示装置によれば、前記表示部は、発光可能な表示領域を有し、前記表示制御部は、前記表示部に前記識別情報が表示されている表示期間以外の期間で、前記操作部が操作されている間、前記表示部の表示領域を発光させることを特徴とする。
【００１１】
請求項３に記載の情報表示装置によれば、前記所定の操作パターンのうち少なくとも一部の操作は、前記操作部が第１の期間操作されている長期間操作、または前記操作部が前記第１の期間より短い第２の期間操作されている短期間操作を有する期間操作であり、前記操作判断部は、前記操作部が前記期間操作で操作されたか否かを判断する期間操作判断部を有することを特徴とする。
【００１２】
請求項４に記載の情報表示装置によれば、前記期間操作は、前記長期間操作または前記短期間操作を、不操作期間を挟んで複数回行う連続操作であり、前記期間操作判断部は、前記操作部が前記連続操作で操作されたか否かを判断する連続操作判断部を含むことを特徴とする。
【００１３】
請求項５に記載の情報表示装置によれば、所定の方向の加速度、または所定の軸線回りの角速度を検出する検出部を備え、前記所定判断期間の間の前記所定の操作パターンのうち、前記期間操作とは異なる他の操作は、前記検出部により検出された前記加速度、または前記角速度を基にした、前記鍵、または、前記付属物の運動操作であり、前記操作判断部は、前記鍵、または、前記付属物が前記運動操作で運動されたか否かを判断する運動判断部を有することを特徴とする。
【００１４】
請求項６に記載の情報表示装置によれば、前記運動操作の少なくとも一部の操作は、前記長期間操作、または前記短期間操作を行いながら運動操作を行う運動期間操作であり、前記運動判断部は、前記運動期間操作が操作されたか否かを判断する運動期間操作判断部を含むことを特徴とする。
【発明の効果】
【００１５】
請求項１に記載の情報表示装置によれば、操作部は１つである。ゆえに、鍵または付属物にテンキーが備えられる場合と異なり、鍵管理人以外の者は本発明の鍵または付属物を見た際に、識別情報を表示部に表示させるための暗号入力する入力部の存在を認識しにくい。又、テンキーにより識別情報を表示させるための操作を行う場合と比較して、操作部の数が１つあればよく、鍵などの比較的小さな物に容易に配置することができる。
【００１６】
請求項２に記載の情報表示装置によれば、表示制御部は、表示部に識別情報が表示されている期間以外の期間で、操作部が操作されている間、表示部の表示領域を発光させる。このため、鍵管理人以外の者が操作部を操作した際に、鍵管理人以外の者は、操作部が表示部を発光させるための操作部であると認識し、操作部が暗号入力部を兼用していることに気付きにくくなる。
【００１７】
請求項３に記載の情報表示装置によれば、所定の操作パターンは、長期間操作、または短期間操作を有する期間操作である。これにより、鍵管理人は１つの操作の操作期間の違いのみで、容易に識別情報を表示させるための操作パターンを入力することができる。又、鍵管理人は、暗所を照らす等の振りをしながら、所定の操作パターンを入力することができる。
【００１８】
請求項４に記載の情報表示装置によれば、期間操作は、長期間操作または短期間操作を、不操作期間を挟んで複数回行う連続操作である。連続操作は、長期間操作または短期間操作を複数回行うため、長期間操作、及び短期間操作と比較して、操作が一層複雑になる。その結果、管理人以外の者が、識別情報表示のための操作パターンを操作することがさらに困難となる。
【００１９】
請求項５に記載の情報表示装置によれば、所定の操作パターンのうち、期間操作とは異なる他の操作として、運動操作がある。表示部に識別情報を表示させるための操作パターンとして、期間操作の他に運動操作を加えることで、操作が一層複雑になる。その結果、管理人以外の者が、識別情報表示のための操作パターンを操作することがさらに困難となる。
【００２０】
請求項６に記載の情報表示装置によれば、運動操作は、長期間操作、または短期間操作を行いながら運動操作を行う運動期間操作である。運動操作を長期間操作、または短期間操作を行いながら行うことで、表示部に識別情報を表示させるための操作が一層複雑になる。その結果、管理人以外の者が、識別情報表示のための操作パターンを操作することがさらに困難となる。
【図面の簡単な説明】
【００２１】
【図１】本発明の第１の実施形態に係る情報表示装置が適用された鍵１及びキーホルダー４を示す外観図。
【図２】キーホルダー４のプレート５に備えられた電気的構成を示すブロック図。
【図３】ＣＰＵ１１が実行する識別情報表示プログラム１２ａの処理を示すフローチャート。
【図４】ＣＰＵ１１が実行する、期間操作、及び回転操作の読み込み処理１０２を示すフローチャート。
【図５】プレート５の内部の軸線を中心に半回転する様子を示す説明図。
【図６】押下信号ＰＳ、角度信号ＧＳ、及びパターン読込信号ＰＨのタイミングチャート。
【図７】本発明の第２の実施形態に係る情報表示装置が適用された鍵１Ｂを示す外観図。
【図８】本発明の第３の実施形態に係る情報表示装置が適用された鍵１Ｃ、及びキーホルダー４Ｃを示す外観図。
【発明を実施するための形態】
【００２２】
〔第１の実施形態〕
本発明の第１の実施形態について図面を参照して説明する。図１は、本発明の第１の実施形態に係る情報表示装置が適用された鍵１及びキーホルダー４を示す外観図である。
【００２３】
図１に示すように、鍵１は、ブレード２と、持ち手３と、を備える。
【００２４】
ブレード２は、所定の錠前を開錠可能な所定の溝を有する。
【００２５】
持ち手３は、ユーザの親指と人指し指とで挟むことが可能な広さの面を有する。持ち手３は、例えば長方形の平板形状を有する。持ち手３は、少なくとも後述するリング６の線径より大きな孔を備える。
【００２６】
キーホルダー４は、プレート５と、リング６と、を備える。
【００２７】
プレート５は、例えば長方形の平板形状を有する。プレート５は、図２にて示す電気的構成を備える。プレート５は、表示部７と、１つの押しボタン８と、を備える。プレート５は、少なくともリング６の線径より大きな孔を備える。
【００２８】
リング６は、プレート５の孔と、持ち手３の孔と、に挿入され、プレート５と持ち手３とを連結する。リング６の直径は、ユーザの指が挿入可能な程度の大きさである。
【００２９】
表示部７は、プレート５の表面に設けられる。表示部７は、鍵１の種類を識別するための識別情報９を表示可能に形成される。本実施形態では、識別情報９は、例えば部屋番号「１０１」等の数字または文字である。表示部７は、例えば有機ＥＬ発光素子である。
【００３０】
押しボタン８は、プレート５の表面に設けられる。押しボタン８は、ユーザの指先で押圧操作可能に設けられる。鍵管理人等のユーザによって押しボタン８が押されている間、表示部７の表示領域は全面発光する。全面発光している表示部７の発光量は、暗所にて例えば部屋の鍵穴を照らすことが可能な程度の光量である。
【００３１】
〔プレート５内の電気的構成〕
図２は、プレート５に備えられた電気的構成を示すブロック図である。図２に示すように、プレート５は、表示部７と、押しボタン８と、に加え、電源１０と、ＣＰＵ１１と、ＲＯＭ１２と、ＲＡＭ１３と、システムバス１４と、角速度検出部１５と、表示制御回路１６と、ＲＴＣ１７と、を備える。システムバス１４は、表示部７と、押しボタン８と、ＣＰＵ１１と、ＲＯＭ１２と、ＲＡＭ１３と、角速度検出部１５と、表示制御回路１６と、ＲＴＣ１７と、に各々接続される。
【００３２】
電源１０は、プレート５内の電気的構成に適切な電力を供給する。電源１０は、例えばボタン電池等の再充電不可能な一次電池である。
【００３３】
押しボタン８は、押しボタン８が押されたことを示す押下信号ＰＳを、システムバス１４を介して、ＲＡＭ１３に送信する。さらに、押しボタン８は、押しボタン８が押されたことを示す押下信号ＰＳを表示制御回路１６に送信する。
【００３４】
表示制御回路１６は、受信した信号を基に、表示部７の表示を制御する。具体的には、表示制御回路１６は、識別情報９を表示部７に表示させる識別情報表示信号ＩＳを受信すると、表示部７に識別情報表示信号ＩＳを送信する。表示制御回路１６は、押下信号ＰＳを受信すると、表示部７の表示領域を全発光させる全発光信号ＢＳを送信する。
【００３５】
角速度検出部１５は、キーホルダー４の内部の軸を中心とした角速度を検出する装置である。角速度検出部１５は、検出した角速度を基に、内部の積分器等を用いて角度信号ＧＳを算出する。角速度検出部１５は、角度信号ＧＳを、システムバス１４を介して、ＲＡＭ１３に送信する。角速度検出部１５は、例えば１軸のジャイロセンサである。
【００３６】
ＲＯＭ１２は、後述するフローチャートに従った処理を実現するための識別情報表示プログラム１２ａを記憶する。識別情報表示プログラム１２ａは、ＣＰＵ１１により実行される。ＲＯＭ１２は、後述する識別情報表示信号ＩＳと、正しい操作パターン１２ｂと、パターン読込期間ＰＨ１と、識別情報表示期間ＩＨと、読込開始操作ＳＰと、を記憶する。
【００３７】
正しい操作パターン１２ｂは、表示部７に識別情報９を表示させるために行う暗号としての操作パターンである。正しい操作パターン１２ｂは、複数の種類の操作からなる。正しい操作パターン１２ｂは、例えば第１操作１２ｂ１と、第２操作１２ｂ２と、第３操作１２ｂ３と、を有する。正しい操作パターン１２ｂの複数の操作は、例えば押しボタン８の期間操作、キーホルダー４の回転操作等である。
【００３８】
パターン読込期間ＰＨ１は、表示部７に識別情報９を表示させるために行う操作パターンを読み込み可能な期間である。識別情報表示期間ＩＨは、識別情報９が表示部７に表示される期間である。読込開始操作ＳＰは、パターン読込期間ＰＨ１を開始させるためのトリガーとしての操作である。読込開始操作ＳＰは、例えば長押し操作である。
【００３９】
ＲＡＭ１３は、ＣＰＵ１１がＲＯＭ１２に記憶される識別情報表示プログラム１２ａを実行する際に参照する各種変数などを記憶しておく一時記憶領域として機能する。ＲＡＭ１３は、角度信号ＧＳ、押下信号ＰＳ、及び後述する正操作フラグＲＦを記憶する。
【００４０】
ＲＴＣ（Ｒｅａｌ  Ｔｉｍｅ  Ｃｌｏｃｋ）１７は、現在の時刻を計時可能な計時手段である。ＲＴＣ１７は、ＲＡＭ１３に記憶された押下信号ＰＳの押下時間、パターン読込期間ＰＨ１、識別情報表示期間ＩＨ、等の期間を計時する。
【００４１】
表示部７は、識別情報表示プログラム１２ａに従って、ＣＰＵ１１からシステムバス１４、及び表示制御回路１６を介して送信される識別情報表示信号ＩＳを受信する。識別情報表示信号ＩＳを受信した表示部７は、識別情報９を表示する。また、表示部７は、表示制御回路１６から、全発光信号ＢＳを受信する。全発光信号ＢＳを受信した表示部７は、表示部７の表示領域全面を発光させる。このため、表示部７の発光により、鍵管理人以外の者は、表示部７が周囲を照らすために発光するものであり、押しボタン８は表示部７を発光させる操作部であると認識する。この結果、鍵管理人以外の者は、押しボタン８が識別情報９を表示するための暗号入力部を兼ねていることに気付くことはない。
【００４２】
〔識別情報表示制御処理〕
図３は、ＣＰＵ１１が実行する識別情報表示プログラム１２ａの処理を示すフローチャートである。図３に示すフローチャートにおける各ステップは、ＣＰＵ１１の処理を示す。ステップは、記号Ｓにより省略して示される。図３に従って、識別情報表示プログラム１２ａのメインフローを説明する。
【００４３】
ステップ１００では、識別情報表示プログラム１２ａを開始する。例えば、電源１０の一例であるボタン電池をプレート５に装着した際、識別情報表示プログラム１２ａが開始され、初期状態となる。初期状態の設定後、ステップ１０１へ進む。
【００４４】
ステップ１０１では、読込開始操作ＳＰがされたか否かを判断する。読込開始操作ＳＰがされたと判断した場合、ステップ１０２へ進む。読込開始操作ＳＰがされなかったと判断した場合、ステップ１０１を繰り返す。読込開始操作ＳＰは、例えば押しボタン８の長押し操作である。これにより、鍵管理人は、操作パターンがいつから判断されるのかを正確に認識することができる。また、鍵管理人が所望するタイミングにて、操作パターンの入力を開始することができる。その結果、鍵管理人は、操作パターンの入力を正確に行いやすくなる。
【００４５】
図６は、押下信号ＰＳ、角度信号ＧＳ、及びパターン読込信号ＰＨのタイミングチャートである。図６（Ａ）は、ＲＡＭ１３に送信される押下信号ＰＳを表すタイミングチャートである。図６（Ｂ）は、ＲＡＭ１３に送信される角度信号ＧＳを表すタイミングチャートである。図６（Ｃ）は、パターン読込信号ＰＨを表すタイミングチャートである。図６（Ａ）の押下信号ＰＳは、横軸に時間、縦軸に押しボタン８が押下された状態ＯＮと、押しボタン８が押下されていない状態ＯＦＦと、を表す。図６（Ｂ）の角度信号ＧＳは、横軸に時間、縦軸に回転角度（ｒａｄ）を表す。回転角度は、回転操作の判断を開始したときを０ｒａｄとした場合の回転角度である。図６（Ｃ）のパターン読込信号ＰＨは、横軸に時間、縦軸にパターン読込期間ＰＨが有効である場合ＯＮ（ＰＨ１）と、パターン読込期間ＰＨが無効である場合ＯＦＦと、を表す。図６に示すＴＳ１０１、ＴＳ２０２、ＴＳ２０４、及びＴＳ２０６は、図３及び図４に示すＳ１０１、Ｓ２０２、Ｓ２０４、Ｓ２０６のステップの処理期間をそれぞれ表す。
【００４６】
図６（Ａ）の期間ＴＳ１０１に発生する信号は、ステップ１０１にて押しボタン８が長押し操作された際の押下信号ＰＳを表す。図６（Ａ）に示すように、押しボタン８が押されている間、押下信号ＰＳがＯＮされ、ＲＡＭ１３に送信される。また、押しボタン８が押されている間、押下信号ＰＳが表示制御回路１６に送信される。そして、押下信号ＰＳを受信した表示制御回路１６は、全発光信号ＢＳを表示部７に送信し、表示部７の表示領域全面が発光する。
【００４７】
具体的には、押しボタン８が押されると、押しボタン８の押圧期間の計時開始をＲＴＣ１７に指示する。そして、押しボタン８が押された状態から押されていない状態へ移行すると、押しボタン８の押圧期間計時終了をＲＴＣ１７に指示する。ＲＴＣ３７を用いて押圧期間を計時し、長押し操作されたか否かを判断する。図６（Ａ）に示すように、長押し操作は、第１の期間Ｔ１、押しボタン８が押された状態である。第１の期間Ｔ１は、例えば１．０秒以上の期間である。ゆえに、この場合、ＲＴＣ１７を用いて計時された押圧期間が、１．０秒以上であれば、長押し操作されたと判断される。以下同様に、後述する短押し操作、または連続押し操作等の期間操作が操作されたか否か、は、ＲＴＣ１７を用いて計時された押圧期間を基に、判断される。
【００４８】
ステップ１０２では、ユーザが行う操作が、操作パターンとしてＲＡＭ１３に書き込まれる。操作パターンは、期間操作と、回転操作と、を有する。図６（Ａ）の期間ＴＳ１０２に発生する押下信号は、ステップ１０２にて行われた期間操作の一部を表す。同様に、図６（Ｂ）の期間ＴＳ１０２に発生する角度信号は、ステップ１０２にて行われた回転操作の一部を表す。
【００４９】
期間操作は、長押し操作と、押しボタン８を押していない不操作と、押しボタン８が長押しより短い期間押されている短押し操作、及び押しボタン８の短押しが連続で押される連続押し操作、等の異なる種類の押し操作の組み合わせである。押下信号ＰＳは、押しボタン８から出力される。不操作は、押しボタン８が所定の不操作期間Ｔｏｆｆ押されていない状態である。不操作期間Ｔｏｆｆは、押しボタン８の押下と次の押しボタン８の押下との間の押しボタン８が押されていない期間であって、ＣＰＵ１１が不操作を認識可能な程度の長さを有す期間である。不操作期間Ｔｏｆｆは、例えば０．１秒以上の期間である。短押し操作は、押しボタン８が第１の期間Ｔ１より短い第２の期間Ｔ２押されている状態である。第２の期間Ｔ２は、例えば０．５秒以下の期間である。
【００５０】
図５は、キーホルダー４がプレート５の内部に定められた軸線を中心に半回転した様子を示す図である。さらに詳しくは、図５は、上からＧＳ＝０ｒａｄ、ＧＳ＝π／６ｒａｄ、ＧＳ＝π／２ｒａｄ、ＧＳ＝πｒａｄの場合のプレート５の様子である。回転操作は、例えば表示部７を有するプレート５の表面に向かって表示部７の表面に垂直な方向を軸線として正方向とし、プレート５の内部の軸線を中心に何回転されたかを示す回転（自転）操作である。例えば、角度信号ＧＳが２πｒａｄであれば、プレート５が表示部７を有するプレート５の表面に垂直な方向を軸線として一回転されたことを示す。
【００５１】
ステップ１０３では、後述する正操作フラグＲＦがＲＡＭ１３に記憶されているか否かを判断する。正操作フラグＲＦがＲＡＭ１３に記憶されていると判断した場合、ユーザによって正しい操作パターンが操作されたと判断され、ステップ１０４へ進む。正操作フラグＲＦがＲＡＭ１３に記憶されていないと判断した場合、ユーザによって正しい操作パターンが操作されなかったと判断され、ステップ１０１へ進む。
【００５２】
ステップ１０４では、識別情報表示期間ＩＨだけ、表示部７に識別情報９を表示するために、ＲＯＭ１２に記憶された識別情報表示信号ＩＳを表示部７に送信する。識別情報表示期間ＩＨは、ＲＯＭ１２に記憶される。識別情報表示期間ＩＨは、ＲＴＣ１７を用いて計時される。表示部７は識別情報表示信号ＩＳを受信すると、表示部７に識別情報９を表示する。識別情報表示期間ＩＨは、鍵管理人が正しい操作パターンを行った後に、表示部７に表示された識別情報９を見てから、部屋番号等の識別情報９を十分認識できる程度の期間である。識別情報表示期間ＩＨは、例えば１０秒である。この識別情報９の表示により、鍵管理人は、鍵１を使用できる部屋などの特定の場所を認識することができる。さらに、識別情報表示期間ＩＨ経過後、識別情報表示信号ＩＳを表示部７に送信しない。識別情報表示信号ＩＳを送信しないため、表示部７は、識別情報９を表示しない。鍵管理人以外の者は、識別情報表示期間ＩＨしか表示部７の識別情報９を確認する機会がないため、鍵管理人以外の者に識別情報９を知られる可能性が一層少なくなる。
【００５３】
図４は、押下信号ＰＳ、及び角度信号ＧＳの読み込みステップ１０２の詳細を示すフローチャートである。図４に示すフローチャートにおける各ステップは、ＣＰＵ１１の処理を示す。
【００５４】
〔操作パターン読込処理〕
図４を用いて、押下信号ＰＳ、及び角度信号ＧＳの読み込みステップ１０２を詳細に説明する。ステップ２００では、読み込み処理であるステップ１０２を開始する。具体的には、ユーザが行う期間操作、及び回転操作を読み込むためのパターン読込期間ＰＨ１の計時開始をＲＴＣ１７に指示する。パターン読込期間ＰＨ１は、鍵管理人等のユーザが押しボタン８の期間操作及びプレート５の回転を通して回転操作をＣＰＵ１１に読み込ませることが可能な期間である。パターン読込期間ＰＨ１は、例えば２０秒である。図６（Ｃ）の時点ＴＳ２００に発生する信号は、ステップ２００にてパターン読込期間ＰＨ１の計時を開始したパターン読込信号ＰＨを表す。
【００５５】
ステップ２０１では、パターン読込期間ＰＨがＯＮ状態か否かを判断する。パターン読込信号ＰＨがＯＮ状態であると判断した場合、ステップ２０２へ進む。パターン読込信号ＰＨがＯＮ状態でないと判断した場合、ステップ２０８へ進む。
【００５６】
ステップ２０２では、第１操作１２ｂ１がされたか否かを判断する。第１操作１２ｂ１がされたと判断した場合、ステップ２０３へ進む。第１操作１２ｂ１がされなかったと判断した場合、ステップ２０１へ戻る。第１操作１２ｂ１は、例えば長押し操作である。図６（Ａ）の期間ＴＳ２０２に発生する信号は、ステップ２０２にて押しボタン８が長押しされた際の押下信号ＰＳを表す。図６（Ａ）に示すように、押しボタン８が押されている間、押下信号ＰＳがＯＮされ、ＲＴＣ１７を用いて押下時間が計測される。また、押しボタン８が押されている間、押下信号ＰＳが表示制御回路１６に送信される。そして、押下信号ＰＳを受信した表示制御回路１６は、全発光信号ＢＳを表示部７に送信し、表示部７の表示領域全面が発光する。図６（Ａ）の期間ＴＳ２０２に発生する信号は、第１の期間Ｔ１以上の押下信号ＰＳを含むため、ステップ２０３へ進む。
【００５７】
ステップ２０３では、パターン読込期間ＰＨがＯＮ状態か否かを判断する。パターン読込信号ＰＨがＯＮ状態であると判断した場合、ステップ２０４へ進む。パターン読込信号ＰＨがＯＮ状態でないと判断した場合、ステップ２０８へ進む。
【００５８】
ステップ２０４では、第２操作１２ｂ２がされたか否かを判断する。第２操作１２ｂ２がされたと判断した場合、ステップ２０５へ進む。第２操作１２ｂ２がされなかったと判断した場合、ステップ２０３へ戻る。第２操作１２ｂ２は、例えば連続３回押しである。
【００５９】
連続３回押しは、例えば１回の押下時間が第２の期間Ｔ２である短押しが所定の不操作期間Ｔｏｆｆ２を挟んで３回行われる押し操作である。連続押しにおいて、ボタンの押下と次のボタンの押下の間の所定の不操作期間Ｔｏｆｆ２は、例えば１．０秒以下である。図６（Ａ）の期間ＴＳ２０４に発生する信号は、ステップ２０４にて押しボタン８が連続３回押しされた際の押下信号ＰＳを表す。図６（Ａ）に示すように、押しボタン８が押されている間、押下信号ＰＳがＯＮされ、ＲＴＣ１７を用いて押下時間が計測される。同様に、押しボタン８の不操作期間が、ＲＴＣ１７を用いて測定される。また、押しボタン８が押されている間、押下信号ＰＳが表示制御回路１６に送信される。そして、押下信号ＰＳを受信した表示制御回路１６は、全発光信号ＢＳを表示部７に送信し、表示部７の表示領域全面が発光する。図６（Ａ）の期間ＴＳ２０４に発生する信号は、第２の期間操作Ｔ２が３回あり、第２の期間操作Ｔ２の間に不操作期間Ｔｏｆｆ２を２回挟んでいるため、連続３回押しがなされたと判断され、ステップ２０５へ進む。
【００６０】
ステップ２０５では、パターン読込期間ＰＨがＯＮ状態か否かを判断する。パターン読込信号ＰＨがＯＮ状態であると判断した場合、ステップ２０６へ進む。パターン読込信号ＰＨがＯＮ状態でないと判断した場合、ステップ２０８へ進む。
【００６１】
ステップ２０６では、第３操作１２ｂ３がされたか否かを判断する。第３操作１２ｂ３がされたと判断した場合、ステップ２０７へ進む。第３操作１２ｂ３がされなかったと判断した場合、ステップ２０５へ戻る。第３操作１２ｂ３は、例えば押しボタン８が長押し操作されながら、キーホルダー４が表示部７の表面に垂直な方向を軸線として半回転以上の回転されたときの操作である。角度信号ＧＳは、時計回りを正方向とし、押しボタン８が長押し操作された直後を０ｒａｄとする。図６（Ａ）及び（Ｂ）の期間ＴＳ２０６に発生する信号は、ステップ２０６にて押しボタン８が長押しされながら、キーホルダー４のプレート５表面に垂直な方向を軸線として半回転以上、回転されたときの押下信号ＰＳ、及び角度信号ＧＳを表す。図６（Ａ）に示すように、押しボタン８が押されている間、押下信号ＰＳがＯＮされ、ＲＴＣ１７を用いて押下時間が計測される。また、押しボタン８が押されている間、押下信号ＰＳが表示制御回路１６に送信される。そして、押下信号ＰＳを受信した表示制御回路１６は、全発光信号ＢＳを表示部７に送信し、表示部７の表示領域全面が発光する。図６（Ａ）の期間ＴＳ２０６に発生する信号は、第１の期間Ｔ１以上の押下信号ＰＳを含む。また、図６（Ｂ）の期間ＴＳ２０６に発生する信号は、π（ｒａｄ）以上であるため、半回転以上の操作がされたと判断され、ステップ２０６へ進む。
【００６２】
ステップ２０７では、ＲＡＭ１３に、正しい操作パターンであるという正操作フラグＲＦが記憶される。
【００６３】
ステップ２０８では、読み込み処理１０２を終了する。具体的には、パターン読込期間ＰＨ１の計時終了をＲＴＣ１７に指示する。図６（Ｃ）の時点ＴＳ２０８に発生する信号は、ステップ２０８にてパターン読込期間ＰＨ１の計時を終了したときのパターン読込信号ＰＨを表す。
【００６４】
〔第１の実施形態の効果〕
キーホルダー４のプレート５は、表示部７を備える。これにより、鍵１の持ち手３に表示部７が備えられている場合と比較して、鍵管理人は、持ち手３を指で挟みながら、表示部７を視認しやすくなる。また、一般的に鍵の持ち手よりキーホルダーの方が大きい。ゆえに、キーホルダーのプレート５に表示部７を設けることで、表示部７の表示領域を広げることができる。
【００６５】
キーホルダー４のプレート５は、表示部７、電源１０及びＣＰＵ１１等の電気的構成を備える。これにより、鍵１に電気的構成が備えられた場合と比較して、鍵に電気的構成の物理的スペースが取られず、鍵の小型化を図ることができる。また、部屋の施錠機構を交換した場合、鍵のみ交換すればよく、キーホルダー４の交換までは不要となり、鍵の保守及び交換が容易になる。
【００６６】
リング６の直径は、指が挿入可能な程度の大きさである。これにより、鍵管理人は、リング６に指を挿入し、指の延びる方向を軸線として回転させることで、回転操作を比較的容易に入力することができる。
【００６７】
〔第２の実施形態〕
本発明の第２の実施形態について図７を参照して説明する。第１の実施形態においては、キーホルダー４のプレート５にＣＰＵ１１等の電気的構成が備えられた。しかしながら、第２の実施形態においては、ＣＰＵ１１等の電気的構成が鍵１Ｂに備えられる。第２の実施形態において、第１の実施形態と同じ構成部分には同じ番号を付し、その説明を省略する。
【００６８】
鍵１Ｂは、ブレード２と、持ち手３Ｂと、を備える。持ち手３Ｂは、表示部７Ｂと、押しボタン８Ｂと、を備える。表示部７Ｂ、及び押しボタン８Ｂは、第１の実施形態の表示部７、及び押しボタン８と同じ構成である。持ち手３Ｂは、電源１０と、ＣＰＵ１１と、ＲＯＭ１２と、ＲＡＭ１３と、システムバス１４と、角速度検出部１５と、表示制御回路１６と、ＲＴＣ１７と、を内部に備える。
【００６９】
このように、キーホルダー４を設けず、ＣＰＵ１１等の電気的構成を持ち手３Ｂに備えてもよい。電気的構成が鍵１Ｂに備えられていることにより、鍵管理人は、鍵１と識別情報９とを管理しやすくなる。キーホルダー４に電気的構成が備えられている場合は、キーホルダー４のプレート５またはリング６の劣化等により、キーホルダー４と鍵１とが分離される恐れがある。換言すると、キーホルダー４内の識別情報表示信号ＩＳと、鍵１と、が物理的に分離され、鍵管理人が識別情報９と鍵１との対応関係が分からなくなる恐れがある。しかしながら、第２の実施形態では、鍵１Ｂに識別情報表示信号ＩＳを記憶するＲＯＭ１２等の電気的構成が備えられているため、識別情報表示信号ＩＳと、鍵１Ｂと、が分離しにくい。その結果、鍵１と、識別情報９と、の対応関係が崩れる恐れがなくなる。
【００７０】
〔第３の実施形態〕
本発明の第１、及び第２の実施形態においては、キーホルダー４、及び鍵１のどちらか一方にＣＰＵ１１等の電気的構成が備えられた。しかしながら、図８に示す第３の実施形態においては、ＣＰＵ１１等の電気的構成が鍵１Ｃ及びキーホルダー４Ｃにそれぞれ分散されて備えられる。鍵１Ｃは、ブレード２と、持ち手３Ｃと、を備える。持ち手３Ｃは、電源１０と、ＣＰＵ１１と、ＲＯＭ１２と、ＲＡＭ１３と、システムバス１４と、角速度検出部１５と、表示制御回路１６と、ＲＴＣ１７と、を内部に備える。
【００７１】
キーホルダー４Ｃは、プレート５Ｃと、ケーブル６Ｃと、を備える。プレート５Ｃは、表示部７と、押しボタン８と、を備える。ケーブル６Ｃは、鍵の持ち手３Ｃ内のシステムバス１４と、キーホルダー４Ｃのプレート５Ｃ内の表示部７、及び押しボタン８と、に接続される。ＣＰＵ１１は、鍵１Ｃの持ち手３Ｃ内のシステムバス１４からプレート５Ｃ内の表示部７に、ケーブル６Ｃを通して、識別情報表示信号ＩＳを送信する。押しボタン８は、ケーブル６Ｃを通して、押下信号ＰＳをシステムバス１４に送信する。
【００７２】
上記のように、電気的構成をキーホルダー４Ｃと、鍵１Ｃと、に分散させることにより、キーホルダー４Ｃと、鍵１Ｃと、の両方の小型を図ることができる。鍵１Ｃとキーホルダー４Ｃとの間がケーブル６Ｃにより接続されることで、ケーブル６Ｃにより識別情報表示信号ＩＳ、押下信号ＰＳ等の情報の送受信を行い、かつキーホルダー４Ｃと、鍵１Ｃと、を物理的に連結することができる。また、第２の実施形態と同様に、ＲＯＭ１２が持ち手３Ｃ内に備えられるため、鍵１Ｃと識別情報表示信号ＩＳとが、物理的に分離されることがなく、識別情報９と鍵１との対応関係が崩れる恐れがなくなる。
【００７３】
〔変形例〕
本発明は、以上述べた実施形態に限定されることは無く、その趣旨を逸脱しない範囲において種々の変形・変更が可能である。以下にその一例を述べる。なお、変形例において、本実施形態と同じ構成についての説明は省略し、本実施形態と相違する部分の構成についてのみ説明を行う。同じ構成部分については同一の符号を付す。
【００７４】
操作パターンに関する変形例について説明する。本実施形態では、読込開始操作ＳＰがなされた後に、パターン読込期間ＰＨ１の計時を開始したが、パターン読込期間ＰＨ１の計時を開始するトリガーは、短押し等の他の期間操作、３回転等の回転操作であってもよい。また、ステップ１０１はなくても構わない。この場合、ステップ１００で、初期状態が設定された後に、一定期間ごとにステップ１０２〜１０４の実行が繰り返される構成でもよい。
【００７５】
本実施形態では、期間操作は、長押し、短押し、連続押し、及び不操作の組み合わせであったが、１つの押しボタン８の押圧時間と非押圧時間との組み合わせであればよい。
【００７６】
本実施形態では、第１の期間Ｔ１は第２の期間Ｔ２よりも長い期間であったが、第１の期間Ｔ１は第２の期間Ｔ２より短い期間であってもよい。第１の期間が第２の期間と異なる期間であればよい。
【００７７】
本実施形態では、表示制御回路１６の電気的回路の機能は、プログラムを実行するＣＰＵ１１によって、実現されてもよい。
【００７８】
本実施形態では、正しい操作パターン１２ｂは第１操作１２ｂ１、第２操作１２ｂ２、及び第３操作１２ｂ３の３つの操作があったが、２つもしくは、４つ以上の操作の組み合わせであってもよい。
【００７９】
本実施形態では、期間操作としての長押し操作、及び連続押し操作に加え、回転操作としての長押ししながらの半回転操作を、正しい操作パターンとしたが、回転操作は正しい操作パターンの１つに入れなくても構わない。即ち、回転操作を正しい操作パターンとせず、期間操作のみを正しい操作パターンとしてもよい。
【００８０】
第１及び第３実施形態では、回転操作は、押しボタン８を長押ししながらプレート５、５Ｃを半回転させる操作であり、また、第２の実施形態では、押しボタン８Ｂを長押ししながら持ち手３Ｂを半回転させる操作であったが、回転操作は、押しボタン８を押さずにプレート５を回転させるものであってもよい。
【００８１】
本実施形態では、１軸のジャイロセンサを用いたが、２軸、または３軸のジャイロセンサであってもよい。これにより、鍵またはプレートの内部を軸線中心とした回転をあらゆる向きで検出することができる。
【００８２】
本実施形態では、角速度検出部１５はジャイロセンサであったが、加速度検出部としての加速度センサであってもよい。加速度センサは、キーホルダー及び鍵の所定方向の加速度を検出することができる。加速度センサは、前記加速度を基に、加速度信号ＡＳをＲＡＭ１３に送信する。加速度信号ＡＳを基に、所定の往復運動操作がなされたか否かを判断する。これにより、鍵及びキーホルダーの往復運動を検出することができる。本実施形態では、正しい操作パターンである複数の操作のうち１つは、回転操作であったが、正しい操作パターンは、往復運動操作であってもよい。これにより、ユーザはキーホルダーの１回転以上の回転操作を行う場合と比較して、鍵及びキーホルダーを持ちかえることなく、片手で操作を行うことができる。
【００８３】
本実施形態では正しい操作パターンのうち１つは、プレートの内部を軸線中心として回転する回転（自転）操作であったが、正しい操作パターンは、鍵及びキーホルダーの外部の軸線を中心にキーホルダーまたは鍵がその軸線の周囲を回転する回転（公転）操作であってもよい。公転操作が加速度センサを用いて取得される方法は、例えば特開２００７−２９６２１９号公報に記載されて公知である。
【００８４】
本実施形態では、パターン読込期間ＰＨ１内にユーザが正しい操作パターンを操作しなかった場合（ステップ１０３がＮＯである場合）、表示部７は何も表示しないが、表示部７を所定期間、発光させてもよい。これにより、鍵管理人は、識別情報９を表示部７に表示させる目的で操作パターンを入力した場合に、パターン読込期間ＰＨ１内の正しい操作パターンが操作されなかったことを、表示部７の所定期間の発光をもって知ることができる。また、パターン読込期間ＰＨ１内に正しい操作パターンが操作されなかった場合、表示部７に偽の識別情報を、所定期間、表示してもよい。例えば正しい識別情報を「１０１」とした場合、偽の識別情報は、「１０２」等の正しい識別情報とは異なる識別情報である。これにより、押しボタン８が暗号入力手段であることに気づいた鍵管理人以外の者が、適当に操作パターンを操作した場合、表示部７に偽の識別情報が表示される。その結果、鍵管理人以外の者は、偽の識別情報が正しい識別情報であると誤認する。なお、鍵管理人が正しい操作パターンを操作できなかった場合を鑑みて、偽の識別情報は、正しい識別情報とは異なる表示形式としてもよい。表示形式とは、発光色、識別情報の表示面積等である。例えば正しい識別情報の発光色が緑色の表示である場合、偽の識別情報は赤色の表示である。正しい表示形式を認知した鍵管理人が操作パターンを操作した場合、識別情報の発光色を見ることで、正しい操作パターンが操作できたか否かを認識することができる。
【００８５】
鍵、及びキーホルダーの物理的構成に関する変形例について説明する。本実施形態では、表示制御回路１６が押下信号ＰＳを受信すると、表示部７に全発光信号ＢＳを送信したが、全発光信号ＢＳは、表示部７の表示領域の一部を発光させる発光信号であってもよい。
【００８６】
本実施形態では、有接点式の押圧操作可能な押しボタン８であったが、有接点式のスイッチ、静電容量素子を用いた無接点式のスイッチであってもよい。
【００８７】
本実施形態では、表示部７は有機ＥＬ発光素子であるが、ＬＥＤアレー、ＬＣＤなどの電源遮断時に表示しない揮発性表示手段、または電子ペーパーなどの電源遮断時にも表示状態を保持する不揮発性表示手段であっても良い。不揮発性表示手段を使用する場合には、識別情報９を消去した後の表示状態が保持される。
【００８８】
本実施形態では、電源１０はボタン電池であったが、シート電池などの他の形状の一次電池、太陽電池、充電池などの二次電池、または無線給電であっても良い。電源１０は、鍵及びキーホルダーが自由に移動可能なよう、鍵及びキーホルダーの外部から電力を供給する線に接続されていなければよい。
【００８９】
本実施形態では、識別情報９は部屋番号等の数字であったが、コード番号、記号、発光色、点滅パターン等の鍵管理人のみが鍵の種類を識別できる情報であっても良い。
【００９０】
本実施形態では、持ち手３は、長方形の平板形状であったが、平板の両面にユーザの親指と人指し指とで挟むことが可能な広さの面を両面にそれぞれ設けられていれば何でもよい。本実施形態では、プレート５は、長方形の平板形状を有したが、表示部７と押しボタン８とを設けることが可能な面積を有するならば何でも良い。
【００９１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【００９２】
〔構成の対応関係〕
本実施形態における鍵１、１Ｂ、１Ｃは、本発明における鍵の一例である。本実施形態におけるキーホルダー４、４Ｃは、本発明における付属物の一例である。本実施形態におけるプレート５、または持ち手３Ｂは、本発明における情報表示装置の一例である。本実施形態におけるプレート５Ｃ、及び持ち手３Ｃは、本発明における情報表示装置の一例である。本実施形態における押しボタン８、８Ｂは、本発明における操作部の一例である。本実施形態における表示部７、７Ｂは、本発明における表示部の一例である。本実施形態における識別情報９は、本発明における識別情報の一例である。本実施形態において正しい操作パターン１２ｂは、本発明における所定の操作パターンの一例である。本実施形態において第１操作１２ｂ１、第２操作１２ｂ２、及び第３操作１２ｂ３は、本発明における複数の種類の操作の一例である。本実施形態におけるＲＯＭ１２は、本発明における記憶部の一例である。本実施形態におけるパターン読込期間ＰＨ１は、本発明における所定判断期間の一例である。本実施形態におけるＣＰＵ１１とステップ１０３とは、本発明における操作判断部の一例である。本実施形態におけるＣＰＵ１１と、表示制御回路１６と、ステップ１０４とは、本発明における表示制御部の一例である。
【００９３】
本実施形態における識別情報表示期間ＩＨは、本発明における識別情報が表示されている表示期間の一例である。
【００９４】
本実施形態における第１の期間Ｔ１、及び第２の期間Ｔ２は、順に本発明における第１の期間、及び第２の期間の一例である。本実施形態において長押し操作は、長期間操作の一例である。本実施形態において短押し操作は、短期間操作の一例である。本実施形態におけるＣＰＵ１１、ステップ２０２、ステップ２０４、またはステップ２０６は、本発明における期間操作判断部の一例である。本実施形態において長押し操作は、複数の種類の操作の一例である。本実施形態における長押し操作、短押し操作、連続３回押しは、本発明における期間操作の一例である。
【００９５】
本実施形態におけるＣＰＵ１１と、ステップ２０４と、は、本発明における連続操作判断部の一例である。本実施形態において連続３回押しは、連続操作の一例である。本実施形態において連続３回押しは、複数の種類の操作の一例である。本実施形態における不操作期間Ｔｏｆｆ２は、本発明における不操作期間の一例である。
【００９６】
本実施形態におけるプレート５の内部の軸線は、本発明における所定の軸線の一例である。本実施形態における角速度検出部１５は、本発明における検出部の一例である。本実施形態における加速度信号ＡＳは、本発明における加速度の一例である。本実施形態における回転操作は、本発明における運動操作の一例である。本実施形態における往復運動操作は、本発明における運動操作の一例である。本実施形態における公転操作は、本発明における運動操作の一例である。本実施形態におけるＣＰＵ１１と、ステップ２０６と、は、本発明における運動判断部の一例であり、また運動期間判断部の一例である。本実施形態における加速度信号ＡＳは、本発明における加速度の一例である。
【００９７】
本実施形態において長押ししながら半回転操作は、本発明における運動操作の一例である。本実施形態において長押ししながら半回転操作は、本発明における長期間操作の一例である。本実施形態において長押ししながら半回転操作は、本発明における運動期間操作の一例である。本実施形態において長押ししながら半回転操作は、本発明における複数の種類の操作の一例である。
【符号の説明】
【００９８】
１、１Ｂ、１Ｃ  鍵
２              ブレード
３、３Ｂ、３Ｃ  持ち手
４、４Ｃ        キーホルダー
５、５Ｃ        プレート
６              リング
６Ｃ            ケーブル
７、７Ｂ        表示部
８、８Ｂ        ボタン
９              識別情報
【図１】
2012233302.tif 000003
【図２】
2012233302.tif 000004
【図３】
2012233302.tif 000005
【図４】
2012233302.tif 000006
【図５】
2012233302.tif 000007
【図６】
2012233302.tif 000008
【図７】
2012233302.tif 000009
【図８】
2012233302.tif 000010